(57)【要約】【課題】複数の記録層又は再生層を有する光ディスクにおいて、信号品質を保ったまま各層からの情報を再生し、他層からのクロストークなどの影響があっても安定したサーボを実現することができる情報再生方法などを提供する。【解決手段】再生すべき層を示す再生層指示信号及び現在再生されている層を示す現在再生層判別信号に基づき、所定の層の情報が再生されていない場合、再生光の照射出力量が可変で、照射出力量をその可変範囲内の最低の照射出力量とする最低照射出力量設定信号を発生させ、最低照射出力量設定信号に基づき再生光の照射出力量を制御し、制御された再生光の照射出力量から順次照射出力量を上げ、現在再生層判別信号により所定の層の情報の再生が示されたとき、その再生光の照射出力量を所定の層の情報の再生のための再生光の照射出力量に設定する照射出力量設定信号を発生させ照射出力量設定信号に基づき再生光の照射出力量を再度制御する。【選択図】図４
2007141319.tif 000002
【特許請求の範囲】
【請求項１】
情報を格納する複数の層を有する光ディスクに再生光を照射し、前記光ディスクからの反射光を検出して前記光ディスクに格納された前記情報を再生する情報再生方法において、
前記複数の層のうち、所定の層と他の層のうち再生すべき層を示す再生層指示信号を取得するステップと、
現在再生されている層がどの層であるのかを示す現在再生層判別信号を取得するステップと、
取得された前記再生層指示信号及び前記現在再生層判別信号に基づいて、前記所定の層に格納された前記情報が再生されているか否かを判断するステップと、
前記所定の層に格納された前記情報が再生されていないと判断された場合に、前記再生光の照射出力量が可変であり、前記照射出力量をその可変範囲内の最低の照射出力量とするための最低照射出力量設定信号を発生させるステップと、
発生された前記最低照射出力量設定信号に基づいて前記再生光の照射出力量を制御するステップと、
制御された前記再生光の照射出力量から順次照射出力量を上げ、前記現在再生層判別信号により前記所定の層に格納された前記情報を再生していることが示されたときに、そのときの前記再生光の照射出力量を前記所定の層に格納された前記情報の再生のための前記再生光の照射出力量に設定する照射出力量設定信号を発生させるステップと、
発生された前記照射出力量設定信号に基づいて前記再生光の照射出力量を再度制御するステップとを、
有することを特徴とする情報再生方法。
【請求項２】
情報を格納する複数の層を有する光ディスクに再生光を照射し、前記光ディスクからの反射光を検出して前記光ディスクに格納された前記情報を再生する情報再生装置において、
前記複数の層のうち、所定の層と他の層のうち再生すべき層を示す再生層指示信号、及び現在再生されている層がどの層であるのかを示す現在再生層判別信号を取得する取得手段と、
取得された前記再生層指示信号及び前記現在再生層判別信号に基づいて、前記所定の層に格納された前記情報が再生されているか否かを判断する判断手段と、
前記判断手段によって前記所定の層に格納された前記情報が再生されていないと判断された場合に、前記再生光の照射出力量が可変であり、前記照射出力量をその可変範囲内の最低の照射出力量とするための最低照射出力量設定信号を発生させ、前記最低の照射出力量から順次照射出力量を上げ、前記現在再生層判別信号により前記所定の層に格納された前記情報を再生していることが示されたときに、そのときの前記再生光の照射出力量を前記所定の層に格納された前記情報の再生のための前記再生光の照射出力量に設定する照射出力量設定信号を発生させる出力信号設定手段と、
発生された前記照射出力量設定信号に基づいて前記再生光の照射出力量を再度制御する出力量制御手段とを、
備えることを特徴とする情報再生装置。
【請求項３】
情報を格納する複数の層を有する光ディスクに再生光を照射し、前記光ディスクからの反射光を検出して前記光ディスクに格納された前記情報を再生する情報再生プログラムにおいて、
前記複数の層のうち、所定の層と他の層のうち再生すべき層を示す再生層指示信号を取得するステップと、
現在再生されている層がどの層であるのかを示す現在再生層判別信号を取得するステップと、
取得された前記再生層指示信号及び前記現在再生層判別信号に基づいて、前記所定の層に格納された前記情報が再生されているか否かを判断するステップと、
前記所定の層に格納された前記情報が再生されていないと判断された場合に、前記再生光の照射出力量が可変であり、前記照射出力量をその可変範囲内の最低の照射出力量とするための最低照射出力量設定信号を発生させるステップと、
発生された前記最低照射出力量設定信号に基づいて前記再生光の照射出力量を制御するステップと、
制御された前記再生光の照射出力量から順次照射出力量を上げ、前記現在再生層判別信号により前記所定の層に格納された前記情報を再生していることが示されたときに、そのときの前記再生光の照射出力量を前記所定の層に格納された前記情報の再生のための前記再生光の照射出力量に設定する照射出力量設定信号を発生させるステップと、
発生された前記照射出力量設定信号に基づいて前記再生光の照射出力量を再度制御するステップとを、
有することを特徴とする情報再生プログラム。
【発明の詳細な説明】
【技術分野】
【０００１】
本発明は、複数の記録層又は再生層を有する光ディスク媒体に記録された情報を再生する情報再生方法、情報再生装置及び情報再生プログラムに関する。
【背景技術】
【０００２】
光ディスクには、ＣＤ（Compact Disc）やＤＶＤ（Digital Versatile Disc）などの再生型、ＣＤ−Ｒ（Recordable）やＤＶＤ−Ｒなどの１回書き込み（ライトワンス）型、及びＣＤ−ＲＷ（ReWritable）やＤＶＤ−ＲＡＭ（Random Access Memory）やＤＶＤ−ＲＷなどの書き換え可能型などの種々の規格があるが、近年、光ディスクに対する高容量化の要請から多層記録層を有する光ディスクシステムが開発されてきている。その一例としてＤＶＤ−Ｒの２層ディスクが実用化されようとしている段階である。
【０００３】
図６は多層記録層を有する光ディスクを再生する従来の光ディスク装置（情報再生装置）の構成を示すブロック図である。図６に示すように、光ディスク装置は、光ディスク１、対物レンズ２、立ち上げミラー３、光ディスク１からの反射光を検出する光検出器５、光ディスク１からの反射光を光検出器５に入射させるビームスプリッタ４、コリメータレンズ６、半導体レーザ７、光ディスク１の各層に焦点を結ぶように対物レンズ２を移動させるアクチュエータ８、光ディスク１を回転させるスピンドルモータ９、スピンドルモータ駆動回路１０、対物レンズ２を光ディスク１に対して垂直方向に移動するようにアクチュエータ８を駆動するフォーカス駆動回路１１、光ディスク１の半径方向に移動するようにアクチュエータ８を駆動するトラッキング駆動回路１２、半導体レーザ７からの光出力を制御する光出力制御回路１３、光ディスク１に入射する光の焦点ずれ量や、追従するトラック中心からのずれ量、さらに情報の再生信号を検出する信号検出器１４、光ディスク装置全体の制御を行ったり光出力制御回路１３を制御したりするシステムコントローラ１５から構成されている。
【０００４】
以上のように構成された従来の光ディスク装置の動作について説明する。半導体レーザ７から出射されたレーザ光はコリメータレンズ６で平行光に変換され、立ち上げミラー３によって光ディスク１の盤面へ入射するように光路が変えられる。光ディスク１へ向かったレーザ光は対物レンズ２により光ディスク１の各層に集光される。集光されて形成されたビームスポットにより、光ディスク１の各記録層又は再生層に対して情報の記録、再生、又は消去を行う。光ディスク１の各記録層又は再生層からの反射光は、立ち上げミラー３によって光路を変えられてビームスプリッタ４で反射して光検出器５に入射する。光検出器５は分割されており、非点収差法や３ビーム法などによりビームスポットと記録層又は再生層との焦点のずれ量や追従するトラック中心からのずれ量を計算するため、さらには記録された情報を再生するため、入射光を電気信号に変換する。
【０００５】
変換された電気信号は信号検出回路１４に出力され、信号検出回路１４は、入力された電気信号によって、焦点のずれ量を計算してフォーカス誤差信号をフォーカス駆動回路１１へ出力し、トラック中心からのずれ量を計算してトラッキング誤差信号をトラッキング駆動回路１２へ出力し、情報再生信号をシステムコントローラ１５へ出力する。システムコントローラ１５は、光ディスク装置全体の制御を行ったり、記録、再生、停止命令によって光出力制御回路１３を制御したりする。また、システムコントローラ１５は信号検出回路１４からの再生信号から所定の周波数成分を検出してスピンドルモータ９の回転制御信号をスピンドルモータ駆動回路１０に出力する。スピンドルモータ駆動回路１０は回転制御信号によってスピンドルモータ９を所定の回転数で回転させ、光ディスク１を回転させる。光出力制御回路１３は、システムコントローラ１５からの命令によって再生、記録、消去の各モードに応じた光強度で半導体レーザ７がレーザ光（再生光など）を出射するように制御する。また、各モードのレーザ光の出力を光ディスク１の種類に応じて切り換える制御を行なう。このような技術が下記の特許文献１により開示されている。
【特許文献１】特開平４−３４１９２９号公報（要約、図６）
【発明の開示】
【発明が解決しようとする課題】
【０００６】
従来、ＤＶＤ−ＲＯＭの２層媒体や、実用化を目前としている２層ＤＶＤ−Ｒに記録された信号を再生する際、各層の再生には同じ出力量の再生光を照射しその反射光を検出して再生を行っている。現状の多層媒体では、各層の同じ再生光量による反射光量がほぼ等しいので、再生信号品質や光を集光するためのサーボ技術の安定性も保てることになる。しかしながら、書き換え型の多層光ディスクなどのようにより多層化していくと、各層の記録媒体は反射率及び透過率を満足しつつ、再生の信号品質を高く保つことが難しくなってくる。したがって、各層を同一の出力量の再生光によって再生することは再生信号品質の低下を招くことになる。また、各層からのクロストークや反射光量の違いによってフォーカス誤差信号やトラッキング誤差信号への影響も大きくなり、各層を同一の出力量の再生光によって再生することはサーボ安定性の劣化をも招くことになる。
【０００７】
図７Ａに複数の記録層又は再生層を有する光ディスク１の一例を示す。図７Ｂは図７Ａの破線の円内を拡大した図である。光ディスク１は、例えば４つの記録層１００を有しており、第２記録層１０２を再生する場合、再生光は第１記録層１０１を透過して第２記録層１０２に焦点を結び、第２記録層１０２で反射した光は第１記録層１０１を再び透過して光検出器５に戻ってくる。したがって第１記録層１０１の影響を受けることになる。また、第２記録層１０２で焦点を結んだ後、透過した光は第３記録層１０３、第４記録層１０４において反射されて戻ってくるので、第３記録層１０３及び第４記録層１０４からの影響も受けることになる。このように、光ディスク１の記録層１００の層が増えると更に他層からの影響が複雑になり、各層の情報を再生する再生光の強度を同一にしたままでは各層で得られる情報の信号品質を保つことが難しくなるという問題がある。
【０００８】
本発明は、上記問題を解決するためのものであり、複数の記録層又は再生層を有する光ディスクにおいて、信号品質を保ったまま各層からの情報を再生し、他層からのクロストークなどの影響があっても安定したサーボを実現することができる情報再生方法、情報再生装置及び情報再生プログラムを提供することを目的とする。
【課題を解決するための手段】
【０００９】
上記目的を達成するために、本発明によれば、情報を格納する複数の層を有する光ディスクに再生光を照射し、前記光ディスクからの反射光を検出して前記光ディスクに格納された前記情報を再生する情報再生方法において、前記複数の層のうち、所定の層と他の層のうち再生すべき層を示す再生層指示信号を取得するステップと、現在再生されている層がどの層であるのかを示す現在再生層判別信号を取得するステップと、取得された前記再生層指示信号及び前記現在再生層判別信号に基づいて、前記所定の層に格納された前記情報が再生されているか否かを判断するステップと、前記所定の層に格納された前記情報が再生されていないと判断された場合に、前記再生光の照射出力量が可変であり、前記照射出力量をその可変範囲内の最低の照射出力量とするための最低照射出力量設定信号を発生させるステップと、発生された前記最低照射出力量設定信号に基づいて前記再生光の照射出力量を制御するステップと、制御された前記再生光の照射出力量から順次照射出力量を上げ、前記現在再生層判別信号により前記所定の層に格納された前記情報を再生していることが示されたときに、そのときの前記再生光の照射出力量を前記所定の層に格納された前記情報の再生のための前記再生光の照射出力量に設定する照射出力量設定信号を発生させるステップと、発生された前記照射出力量設定信号に基づいて前記再生光の照射出力量を再度制御するステップとを有することを特徴とする情報再生方法が提供される。この構成により、複数の記録層又は再生層を有する光ディスクにおいて、信号品質を保ったまま各層からの情報を再生し、他層からのクロストークなどの影響があっても安定したサーボを実現することができる。
【００１０】
また、本発明によれば、情報を格納する複数の層を有する光ディスクに再生光を照射し、前記光ディスクからの反射光を検出して前記光ディスクに格納された前記情報を再生する情報再生装置において、前記複数の層のうち、所定の層と他の層のうち再生すべき層を示す再生層指示信号、及び現在再生されている層がどの層であるのかを示す現在再生層判別信号を取得する取得手段と、取得された前記再生層指示信号及び前記現在再生層判別信号に基づいて、前記所定の層に格納された前記情報が再生されているか否かを判断する判断手段と、前記判断手段によって前記所定の層に格納された前記情報が再生されていないと判断された場合に、前記再生光の照射出力量が可変であり、前記照射出力量をその可変範囲内の最低の照射出力量とするための最低照射出力量設定信号を発生させ、前記最低の照射出力量から順次照射出力量を上げ、前記現在再生層判別信号により前記所定の層に格納された前記情報を再生していることが示されたときに、そのときの前記再生光の照射出力量を前記所定の層に格納された前記情報の再生のための前記再生光の照射出力量に設定する照射出力量設定信号を発生させる出力信号設定手段と、発生された前記照射出力量設定信号に基づいて前記再生光の照射出力量を再度制御する出力量制御手段とを備えることを特徴とする情報再生装置が提供される。この構成により、複数の記録層又は再生層を有する光ディスクにおいて、信号品質を保ったまま各層からの情報を再生し、他層からのクロストークなどの影響があっても安定したサーボを実現することができる。
【００１１】
また、本発明によれば、情報を格納する複数の層を有する光ディスクに再生光を照射し、前記光ディスクからの反射光を検出して前記光ディスクに格納された前記情報を再生する情報再生プログラムにおいて、前記複数の層のうち、所定の層と他の層のうち再生すべき層を示す再生層指示信号を取得するステップと、現在再生されている層がどの層であるのかを示す現在再生層判別信号を取得するステップと、取得された前記再生層指示信号及び前記現在再生層判別信号に基づいて、前記所定の層に格納された前記情報が再生されているか否かを判断するステップと、前記所定の層に格納された前記情報が再生されていないと判断された場合に、前記再生光の照射出力量が可変であり、前記照射出力量をその可変範囲内の最低の照射出力量とするための最低照射出力量設定信号を発生させるステップと、発生された前記最低照射出力量設定信号に基づいて前記再生光の照射出力量を制御するステップと、制御された前記再生光の照射出力量から順次照射出力量を上げ、前記現在再生層判別信号により前記所定の層に格納された前記情報を再生していることが示されたときに、そのときの前記再生光の照射出力量を前記所定の層に格納された前記情報の再生のための前記再生光の照射出力量に設定する照射出力量設定信号を発生させるステップと、発生された前記照射出力量設定信号に基づいて前記再生光の照射出力量を再度制御するステップとを有することを特徴とする情報再生プログラムが提供される。この構成により、複数の記録層又は再生層を有する光ディスクにおいて、信号品質を保ったまま各層からの情報を再生し、他層からのクロストークなどの影響があっても安定したサーボを実現することができる。
【発明の効果】
【００１２】
本発明の情報再生方法、情報再生装置及び情報再生プログラムは、上記構成を有し、複数の記録層又は再生層を有する光ディスクにおいて、信号品質を保ったまま各層からの情報を再生し、他層からのクロストークなどの影響があっても安定したサーボを実現することができる。
【発明を実施するための最良の形態】
【００１３】
＜第１の実施の形態＞
以下、本発明の第１の実施の形態に係る情報再生装置について図１及び図２を用いて説明する。図１は本発明の第１の実施の形態に係る情報再生装置における光出力制御回路の構成を示すブロック図である。図２は本発明の第１の実施の形態に係る情報再生装置における光ディスクの情報再生制御フローについて説明するためのフローチャートである。
【００１４】
まず、本発明の第１の実施の形態に係る情報再生装置における光出力制御回路の構成について図１を用いて説明する。光出力制御回路以外の構成要素については上述した図６の従来の情報再生装置の構成と同様であるため説明は省略する。なお、第１の実施の形態に係る情報再生装置を説明する際に必要であれば図６を参照して説明する。図１に示すように、光出力制御回路１３は、光出力モニタ２０、ＬＤ駆動回路２１、光出力誤差演算回路２２、基準信号切換手段２３、光出力設定手段２４から構成されている。
【００１５】
光出力モニタ２０は、半導体レーザ７の後面出射光を検出し、半導体レーザ７の出力に応じたモニタ信号を出力するものである。光出力誤差演算回路２２は、光出力モニタ２０からのモニタ信号と光出力設定手段２４で設定された基準信号との誤差を演算して求めるものである。ＬＤ駆動回路２１は、光出力誤差演算回路２２からの誤差信号に基づき半導体レーザ７へ駆動電流を出力して半導体レーザ７を光らせるものである。光出力設定手段２４は、半導体レーザ７の出力の基準となる基準信号を設定するものである。基準信号切換手段２３は、例えばユーザから受け付けた再生する層の指示に基づいて不図示の信号生成手段によって生成された信号である再生層設定信号を受信すると、現在再生されている層が再生層設定信号が示す層に相当するものであるか否かを判断し、相当するものでない場合にはユーザから受け付けた再生する層に応じて光出力設定手段２４で設定された基準信号を切り換える。なお、第１の実施の形態及び後述する第２の実施の形態における「受信」は「取得」の１つの表記例である。
【００１６】
第１の実施の形態は、光出力制御回路１３に与えられた再生層設定信号に従って、基準信号切換手段２３が、目的とする記録層又は再生層に応じた基準信号で半導体レーザ７からレーザ光（再生光など）が出力されるように光出力設定手段２４で設定された基準信号を切り換える点に特徴がある。
【００１７】
次に、本発明の第１の実施の形態に係る情報再生装置における光ディスクの情報再生制御フローについて図２を用いて説明する。本フローチャートでは光出力制御のみの流れを示しており、光ディスク装置としては本フローチャートでの記載は省略するが、サーボ動作、層間移動などが行われている。基準信号切換手段２３は、再生する層（例えば、上述した図７Ｂの第２記録層１０２）を指示するための再生層設定信号が入力されたか否かを判断する（ステップＳ２０１）。再生層設定信号が入力された場合、基準信号切換手段２３は、現在再生されている層が再生層設定信号が示す層に相当するものであるか否かを判断し（ステップＳ２０２）、相当するものでない場合には再生層設定信号が示す層に応じて光出力設定手段２４で設定された基準信号を切り換える（ステップＳ２０３）。
【００１８】
光出力誤差演算回路２２は、光出力モニタ２０からのモニタ信号と切り換えられた基準信号との誤差を演算する（ステップＳ２０４）。ＬＤ駆動回路２１は、光出力誤差演算回路２２により演算された誤差の信号に基づいて、半導体レーザ７を駆動するための駆動電流を出力する（ステップＳ２０５）。なお、ステップＳ２０２において、現在再生されている層が再生層設定信号が示す層に相当するものである場合には、光出力誤差演算回路２２は、光出力モニタ２０からのモニタ信号と光出力設定手段２３で設定された基準信号との誤差を演算する（ステップＳ２０６）。
【００１９】
このように、第１の実施の形態によれば、複数の記録層又は再生層を有する光ディスクにおいて、信号品質を保ったまま各層からの情報を再生し、他層からのクロストークなどの影響があっても安定したサーボを実現することができる。なお、上述した情報再生制御フローを制御プログラムとして記録媒体などに記録して利用することも可能である。
【００２０】
＜第２の実施の形態＞
以下、本発明の第２の実施の形態に係る情報再生装置について図３及び図４を用いて説明する。光出力制御回路以外の構成要素については上述した図６の従来の情報再生装置の構成と同様であるため説明は省略する。なお、第２の実施の形態に係る情報再生装置を説明する際に必要であれば図６を参照して説明する。図３に示すように、光出力制御回路１３は、光出力モニタ３０、ＬＤ駆動回路３１、光出力誤差演算回路３２、基準信号切換手段３３、基準信号制御手段（上述した判断手段に相当）３４から構成されている。
【００２１】
本発明の第２の実施の形態に係る情報再生装置における光出力制御回路１３は、第１の実施の形態で説明した光出力制御回路１３と基本的に同様の動作によって半導体レーザ７を光らせる。本発明の第２の実施の形態における光出力制御回路１３は、光ディスクなどのように層状に構成された記録媒体に記録された情報を再生する場合に、現在再生されている層がどの層であるのかを示す再生層判別信号（上述した現在再生層判別信号に相当）と、再生の目的とする再生層を指定するための再生層設定信号とに基づいて基準信号切換手段３３を制御する基準信号制御手段３４を設けている。
【００２２】
基準信号制御手段３４は、再生層判別信号を受信していないと判断した場合、又は受信された再生層設定信号に基づいて再生層判別信号が再生の目的とする再生層以外を再生している旨を示すものであると判断した場合には、半導体レーザ７における可変の再生光の出力（再生光出力とも言う）のうち最も小さい（低い）出力となる基準信号にするよう基準信号切換手段３３に対して制御信号を出力する。そして、その後順次再生光の出力を上げていき、基準信号制御手段３４は、受信する再生層判別信号が目的とする再生層を再生している旨を示すものであると判断した場合に、再生層設定信号に応じた層を再生するために半導体レーザ７において最適な再生光出力となる基準信号にするよう基準信号切換手段３３に対して制御信号を出力する。このような点が第２の実施の形態の特徴である。なお、順次とは、連続的に又は段階的にという概念を含むものである。
【００２３】
次に、本発明の第２の実施の形態に係る情報再生装置における光ディスクの情報再生制御フローについて図４を用いて説明する。本フローチャートでは光出力制御のみの流れを示しており、光ディスク装置としては本フローチャートでの記載は省略するが、サーボ動作、層間移動などが行われている。基準信号制御手段３４は、再生層判別信号により再生している層が判別されているか否かを判断する（ステップＳ４０１）。初期状態では判別されていないので、再生光出力のうち最も小さい出力の最低光出力で半導体レーザ７が光るように光出力誤差演算回路３２に出力する基準信号を設定する（ステップＳ４０４）。そして、その後順次再生光出力を上げていく（ステップＳ４０５）。再生している層が判別されている場合、基準信号制御手段３４は、受信する再生層設定信号に基づいて再生されている層が目的とする再生層であるか否かを判断する（ステップＳ４０２）。目的とする再生層であると判断された場合、基準信号切換手段３３は再生する層に応じた最適光出力が得られるように基準信号を設定する（ステップＳ４０３）。この設定により半導体レーザ７は設定された基準信号に応じて最適な再生光出力で光る。そして、再生が終了するまで繰り返される。なお、ステップＳ４０１及びＳ４０２において、再生している層が判別されていない場合及び再生している層が目的とする再生層でないと基準信号制御手段３４によって判断された場合には、基準信号切換手段３３は、最低光出力で半導体レーザ７が光るように光出力誤差演算回路３２に出力する基準信号を設定する（ステップＳ４０４）。
【００２４】
以上のように、第２の実施の形態では、目的とする再生層であることが確認されるまで最も小さい再生光出力で再生されるので、高い再生光出力による目的以外の層に記録された信号の劣化を防ぐことができる。またディフェクトなどで目的以外の層にジャンプしてしまった場合でも、最も小さい再生光出力で光るように半導体レーザ７が制御されるので、光ディスク装置の信頼性が向上する。また、目的の再生層においては最適な再生光出力によって再生することにより高品質な再生信号が得られる。
【００２５】
また、第２の実施の形態に係る情報再生装置における光ディスクの他の情報再生制御フローについて図５を用いて説明する。図５に示すように、本フローチャートでは光出力制御のみの流れを示しており、光ディスク装置としては本フローチャートでの記載は省略するが、サーボ動作、層間移動などが行われている。基準信号制御手段３４は、再生層判別信号により再生している層が判別されているか否かを判断する（ステップＳ５０１）。初期状態では判別されていないので、再生光出力のうち最も小さい出力の最低光出力で半導体レーザ７が光るように光出力誤差演算回路３２に出力する基準信号を設定する（ステップＳ５０２）。そして、基準信号制御手段３４は、再生層判別信号により再生している層が判別されているか否かを再度判断する（ステップＳ５０３）。判別されていない場合には、順次再生光出力を上げていく（ステップＳ５０４）。
【００２６】
一方、ステップＳ５０１又はステップＳ５０３で再生している層が判別されていると判断されている場合、基準信号制御手段３４は、受信する再生層設定信号に基づいて再生されている層が目的とする再生層であるか否かを判断する（ステップＳ５０５）。目的とする再生層であると判断された場合、基準信号切換手段３３は再生する層に応じた最適光出力が得られるように基準信号を設定する（ステップＳ５０６）。この設定により半導体レーザ７は設定された基準信号に応じて最適な再生光出力で光る。そして、再生が終了するまで繰り返される。一方、ステップＳ５０５において、再生している層が目標の層でない場合、再生する層が切り換えられる（ステップＳ５０７）。このように、再生している層が目標の層でない場合には、再生光出力によらずフォーカスジャンプなどの手段によって再生する層を切り換えることにより、目標とする層を早く再生することができる。
【産業上の利用可能性】
【００２７】
本発明に係る情報再生装置は、複数の記録層又は再生層を有する光ディスクにおいて、信号品質を保ったまま各層からの情報を再生し、他層からのクロストークなどの影響があっても安定したサーボを実現することができるため、複数の記録層又は再生層を有する光ディスク媒体に記録された情報を再生する情報再生方法、情報再生装置及び情報再生プログラムなどに有用である。
【図面の簡単な説明】
【００２８】
【図１】本発明の第１の実施の形態に係る情報再生装置における光出力制御回路の構成を示すブロック図である。
【図２】本発明の第１の実施の形態に係る情報再生装置における光ディスクの情報再生制御フローについて説明するためのフローチャートである。
【図３】本発明の第２の実施の形態に係る情報再生装置における光出力制御回路の構成を示す構成図である。
【図４】本発明の第２の実施の形態に係る情報再生装置における光ディスクの情報再生制御フローについて説明するためのフローチャートである。
【図５】本発明の第２の実施の形態に係る情報再生装置における光ディスクの他の情報再生制御フローについて説明するためのフローチャートである。
【図６】従来の光ディスク装置（情報再生装置）の構成を示すブロック図である。
【図７Ａ】複数の記録層又は再生層を有する光ディスク（媒体）の一例を示す図である。
【図７Ｂ】図７Ａの破線の円内を拡大した図である。
【符号の説明】
【００２９】
１  光ディスク
２  対物レンズ
３  立ち上げミラー
４  ビームスプリッタ
５  光検出器
６  コリメータレンズ
７  半導体レーザ
８  アクチュエータ
９  スピンドルモータ
１０  スピンドルモータ駆動回路
１１  フォーカス駆動回路
１２  トラッキング駆動回路
１３  光出力制御回路
１４  信号検出回路
１５  システムコントローラ
２０、３０  光出力モニタ
２１、３１  ＬＤ駆動回路
２２、３２  光出力誤差演算回路
２３、３３  基準信号切換手段
２４  光出力設定手段
３４  基準信号制御手段
１００  記録層
１０１  第１記録層
１０２  第２記録層
１０３  第３記録層
１０４  第４記録層
【図１】
2007141319.tif 000003
【図２】
2007141319.tif 000004
【図３】
2007141319.tif 000005
【図４】
2007141319.tif 000006
【図５】
2007141319.tif 000007
【図６】
2007141319.tif 000008
【図７Ａ】
2007141319.tif 000009
【図７Ｂ】
2007141319.tif 000010